(57)【要約】  ３ＧＰＰ標準Ｒｅｌｅａｓｅ６のＵＭＴＳシステムにおいて、離散的な可能な有効インデックス値に対する、または別個の可能な有効インデックス範囲に対するＮｏｄｅＢでのＥ−ＤＰＣＣＨに関連する最大距離の探索を避けるために、ＵＥで、３つの異なる情報源、つまりＥ−ＤＰＣＣＨのビット領域のＲＳＮ、ＴＦＩ、およびＨビット部を構成する固定された数のビットが、可能なＥ−ＤＰＣＣＨインデックスの等価な１０進数値が連続した値の範囲内にあるようにマップされる。
2008535393.tif 000002
【特許請求の範囲】
【請求項１】
複数の固定ビット長の入力語を結合して複数ビットからなる単一の符号語にする方法であって、
異なる入力語の全ての許される組合せから形成される前記結合された複数ビットからなる単一の符号語の等価な１０進数値が連続した値の範囲内にあるように、前記入力語のビットを前記複数ビットからなる単一の符号語にマッピングする工程を含み、異なる入力語の許される組合せの数が、前記複数ビットからなる符号語が取る可能性がある１０進数で表された異なる値の最大個数よりも少ないことを特徴とする方法。
【請求項２】
制御チャネル上のフレームでの伝送のために、固定長のハッピー（Ｈ）識別子と、固定長の再送シーケンス番号（ＲＳＮ）と、固定長のトランスポート・フォーマット識別子（ＴＦＩ）とを結合して結合された固定長の複数ビットからなる符号語にする、無線通信システム内の送信機における方法であって、
前記ハッピー識別子と、前記ＲＳＮと、前記ＴＦＩとの全ての許される組合せから形成される結合された符号語の等価な１０進数値が連続した値の範囲内にあるように、固定された数の前記ハッピー識別子のビットと、固定された数の前記ＲＳＮのビットと、固定された数の前記ＴＦＩのビットとを、結合された固定長の複数ビットからなる符号語にマッピングする工程を含み、前記ハッピー識別子と、前記ＲＳＮと、前記ＴＦＩとの許される組合せの数が、前記結合された固定長の複数ビットからなる符号語が取る可能性がある１０進数で表された異なる値の最大個数よりも少ないことを特徴とする方法。
【請求項３】
前記制御チャネルはユーザ端末によって伝送されるエンハンスト専用物理制御チャネル（Ｅ−ＤＰＣＣＨ）であり、前記ハッピー識別子は１ビットのハッピー（Ｈ）・ビットであり、前記ＲＳＮは２ビットの固定長を有し、前記ＴＦＩは７ビットの固定長を有し、前記結合された固定長の複数ビットからなる符号語は１０ビットを有する請求項２に記載の方法。
【請求項４】
前記Ｈビットと、前記２ビットのＲＳＮビットと、前記ＴＦＩビットとが、１０進数で表したときに、
（Ｈビット）＋（Ｈビットの取り得る値の個数）×ＲＳＮ＋（Ｈビットの取り得る値の個数）×（ＲＳＮの取り得る値の個数）×ＴＦＩ
に等しい前記結合された１０ビットの符号語にマッピングされる請求項３に記載の方法。
【請求項５】
「Ｈビットの取り得る値の個数」が２であり、「ＲＳＮの取り得る値の個数」がＭＡＸ＿ＲＳＮ＋１に等しく、１０進数で表した前記結合された１０ビットの符号語が、
（Ｈビット）＋２×ＲＳＮ＋２×（ＭＡＸ＿ＲＳＮ＋１）×ＴＦＩ
に等しく、前記結合された１０ビットの符号語の１０進数で表した最大値が、
１＋２×ＭＡＸ＿ＲＳＮ＋２×（ＭＡＸ＿ＲＳＮ＋１）×ＭＡＸ＿ＴＦＩ
（ここで、ＭＡＸ＿ＴＦＩは、１０進数で表した使用されている最大ＴＦＩである）に等しい請求項４に記載の方法。
【請求項６】
ＭＡＸ＿ＲＳＮが３に等しい場合、前記Ｈビット、前記２ビットのＲＳＮビット、および前記７ビットのＴＦＩビットの前記マッピングが
ｘ１０＝ｘｔｆｉ，１
ｘ９＝ｘｔｆｉ，２
ｘ８＝ｘｔｆｉ，３
ｘ７＝ｘｔｆｉ，４
ｘ６＝ｘｔｆｉ，５
ｘ５＝ｘｔｆｉ，６
ｘ４＝ｘｔｆｉ，７
ｘ３＝ｘｒｓｎ，１
ｘ２＝ｘｒｓｎ，２
ｘ１＝ｘｈ，１
（ここで、（ｘ１０、ｘ９、．．．、ｘ１）は最上位ビット（ＭＳＢ）（ｘ１０）から最下位ビット（ＬＳＢ）（ｘ１）までの前記結合された１０ビットの符号語であり、ｘｈ，１は前記Ｈビットであり、ｘｒｓｎ，１およびｘｒｓｎ，２はｘｒｓｎ，１がＭＳＢでｘｒｓｎ，２がＬＳＢである前記２ビットのＲＳＮビットであり、ｘｔｆｃｉ，１からｘｔｆｃｉ，７までがＭＳＢからＬＳＢまでの前記７ビットのＴＦＩビットである）である請求項５に記載の方法。
【請求項７】
複数の固定ビット長の入力語を結合して複数ビットからなる単一の符号語にする装置であって、前記装置は、
前記複数の固定ビット長の入力語を受信する手段と、
異なる入力語の全ての許される組合せから形成される前記結合された複数ビットからなる単一の符号語の等価な１０進数値が連続した値の範囲内にあるように、前記入力語のビットを前記複数ビットからなる単一の符号語にマッピングする手段とを含み、異なる入力語の許される組合せの数が、前記複数ビットからなる符号語が取る可能性がある１０進数で表された異なる値の最大個数よりも少ないことを特徴とする装置。
【請求項８】
制御チャネル上のフレームでの伝送のために、固定長のハッピー識別子と、固定長の再送シーケンス番号（ＲＳＮ）と、固定長のトランスポート・フォーマット識別子（ＴＦＩ）とを結合して結合された固定長の複数ビットからなる符号語にする、無線通信システム内の送信機における装置であって、
前記ハッピー識別子と、前記ＲＳＮと、前記ＴＦＩとを受信する手段と、
前記ハッピー識別子と、前記ＲＳＮと、前記ＴＦＩとの全ての許される組合せから形成される結合された符号語の等価な１０進数値が連続した値の範囲内にあるように、固定された数の前記ハッピー識別子のビットと、固定された数の前記ＲＳＮのビットと、固定された数の前記ＴＦＩのビットとを、結合された固定長の複数ビットからなる符号語にマッピングする手段を含み、前記ハッピー識別子と、前記ＲＳＮと、前記ＴＦＩとの許される組合せの数が、前記結合された固定長の複数ビットからなる符号語が取る可能性がある１０進数で表された異なる値の最大個数よりも少ないことを特徴とする装置。
【請求項９】
前記送信機はユーザ端末内にあり、前記制御チャネルは前記ユーザ端末によって伝送されるエンハンスト専用物理制御チャネル（Ｅ−ＤＰＣＣＨ）であり、前記ハッピー識別子は１ビットのハッピー（Ｈ）・ビットであり、前記ＲＳＮは２ビットの固定長を有し、前記ＴＦＩは７ビットの固定長を有し、前記結合された固定長の複数ビットからなる符号語は１０ビットを有する請求項８に記載の装置。
【請求項１０】
前記マッピングする手段は、前記Ｈビットと、前記２ビットのＲＳＮビットと、前記ＴＦＩビットとを、１０進数で表したときに
（Ｈビット）＋（Ｈビットの取り得る値の個数）×ＲＳＮ＋（Ｈビットの取り得る値の個数）×（ＲＳＮの取り得る値の個数）×ＴＦＩ
に等しい前記結合された１０ビットの符号語にマッピングする請求項９に記載の装置。
【発明の詳細な説明】
【技術分野】
【０００１】
本発明は無線通信に関する。
【背景技術】
【０００２】
本出願は、２００５年３月２９日に出願した米国仮出願第６０／６６６０５２号の利益を主張するものである。
通常、無線通信ネットワークは、無線または有線接続によって結合され、様々な種類の通信チャネルを介してアクセスされる種々の通信ノードを含む。それぞれの通信ノードは、通信チャネル上で送信および受信されるデータを処理するプロトコル・スタックを含む。通信システムの種類に応じて種々の通信ノードの動作および構成は異なっていてよく、異なる名称で呼ばれることが多い。かかる通信システムには、例えば、符号分割多重接続２０００（ＣＤＭＡ２０００）システムおよびユニバーサル移動体通信システム（ＵＭＴＳ）が含まれる。
【０００３】
第３世代無線通信プロトコル標準（例えば、３ＧＰＰ−ＵＭＴＳ、３ＧＰＰ２−ＣＤＭＡ２０００など）は、アップリンクにおいて専用トラフィック・チャネル（例えば、移動局（ＭＳ）またはユーザ端末（ＵＥ）と、基地局（ＢＳ）またはＮｏｄｅＢとの間の通信フロー）を使用することができる。専用物理チャネルは、データ部（例えば、ＵＭＴＳ  Ｒｅｌｅａｓｅ４／５プロトコルに準じた専用物理データ・チャネル（ＤＰＤＣＨ）、ＣＤＭＡ２０００プロトコルに準じた基本チャネルまたは補助チャネルなど）と、制御部（例えば、ＵＭＴＳ  Ｒｅｌｅａｓｅ４／５プロトコルに準じた専用物理制御チャネル（ＤＰＣＣＨ）、ＣＤＭＡ２０００プロトコルに準じたパイロット／電力制御サブチャネルなど）とを含むことができる。ＵＭＴＳでは、ＤＰＤＣＨが、送信されるべきデータを伝送する。受信データはトランスポート・チャネルのフォーマットになっており、複数のトランスポート・チャネルがＤＰＤＣＨに時分割多重化される。トランスポート・チャネルは、無線フレームの持続時間１０ｍｓの１、２、４、または８倍である送信時間間隔（ＴＴＩ）毎に受信される。同一のＤＰＤＣＨに多重化されるべき異なるトランスポート・チャネルは異なるＴＴＩを持つことができるが、より大きなＴＴＩの境界はいくつかのより小さなＴＴＩの境界と常に一致させられる。
【０００４】
各ＤＰＤＣＨフレームは、それぞれのスロットが１０ビットからなる１５個のスロットで構成された持続時間１０ｍｓの関連するＤＰＣＣＨフレームを有する。各スロットの１０ビットは、パイロット・ビットおよび制御ビットで構成される。制御ビットは、関連するＤＰＤＣＨ上の各トランスポート・チャネルに対するデータ転送速度の識別子を提供し、受信されたＤＰＤＣＨフレームを処理するために使用されるトランスポート・フォーマット組合せ識別子（ＴＦＣＩ）ビットと、フィードバック情報（ＦＢＩ）ビットと、送信電力制御（ＴＰＣ）ビットとを含む。１スロットにつき２ビットがＴＦＣＩに割り当てられる。残り８ビットの数の実際の組合せは変わることができ、無線ネットワーク・コントローラ（ＲＮＣ）によって制御される。典型的な構成は、１スロットについて５ビットのパイロット・ビット、２ビットのＴＦＣＩビット、１ビットのＦＢＩビット、および２ビットのＴＰＣビットである。ＮｏｄｅＢおよびＵＥは両方ともパイロット・ビットを識別するが、残りのビットはＮｏｄｅＢには不明である。
【０００５】
ＴＦＣＩはＵＥによってフレーム毎に送信される。３２ビットのＴＦＣＩ符号語に符号化されるのは１０ビット・ワードである。通常モードでは、２ビットの符号化されたビットがパンクチャ（ｐｕｎｃｔｕｒｅ）され、残り３０ビットのＴＦＣＩ符号化ビットが無線フレームで、スロット毎に２ビットずつ、１無線フレームにつき１５スロットずつ送信される。ＴＦＣＩは１０ビット・ワードであるため、１０２４通りのＴＦＣＩインデックス値があり得る。しかし、数値ＴＦＣＳ＿ｓｉｚｅが１０２４より大幅に小さい場合には、トランスポート・フォーマット組合せセット（ＴＦＣＳ）の大きさに応じて、それら１０２４通りの可能なＴＦＣＩインデックス値のうち０からＴＦＣＳ＿ｓｉｚｅ−１までのインデックスのみが使用される。各伝送について、インデックスがそのインデックスの１０ビット２進表現（ｘ１０、ｘ９、．．．、ｘ１）にマッピングされる。ここでビットｘ１０はＭＳＢであり、ビットｘ１はＬＳＢであり、このＴＦＣＩの２進表現は０からＴＦＣＳ＿ｓｉｚｅ−１までの値を取る。次に、この１０ビット・ワードは２次Ｒｅｅｄ−Ｍｕｌｌｅｒ符号の（３２、１０）部分符号によって符号化されて、３２ビットＴＦＣＩ符号語（ｚ０、ｚ１、．．．、ｚ３１）を生成し、この３２ビットＴＦＣＩ符号語は最後の２ビット、ｚ３０およびｚ３１を送信しないことによってパンクチャされる。前述の通り、これら残りの３０ビット、ｚ０、．．．、ｚ２９は、１５スロットのＤＰＣＣＨフレームで１スロットにつき２ビットずつ送信される。
【０００６】
ＮｏｄｅＢの受信機において、ＵＥにおける符号化されたＴＦＣＩビットｚ０、ｚ１、．．．、ｚ３１に対応するソフト・シンボル、ｓ０、ｓ１、．．．、ｓ３１が導出される。これらのソフト・シンボルは、これらのシンボルを１０２４通りの可能なＴＦＣＩ符号語のそれぞれと相互に関連付けてＴＦＣＳインデックス｛０、１、．．．、１０２３｝に対する１０２４個の距離を得ることにより復号化される。これらの距離の最大値の探索が行われ、最大距離に対応するインデックスが復号化されたＴＦＣＩである。この相互の関連付けを実行する計算効率の良い方法として、高速アダマール変換（ＦＨＴ）が使用され得る。ＮｏｄｅＢは使用中のＴＦＣＳ参照テーブル・サイズが分かっているので、ＮｏｄｅＢは、インデックス間に抜けが無いようにして０からＴＦＣＳ＿ｓｉｚｅ−１までのインデックスに対応する距離に対して探索を行う必要があるだけである。このことは、特に実際のＴＦＣＳの大きさが１０２４よりも大幅に小さいとき、ＴＦＣＳの実際の大きさに関する情報が無いと仮定した場合（すなわち、ＴＦＣＳ＿ｓｉｚｅ＝１０２４の場合）に比べて顕著な性能上の利点をもたらす。このように、最大値の探索は、１０２４通りの可能なインデックスのうちの初めのＴＦＣＳ＿ｓｉｚｅ個のインデックスに対する距離にのみ処理を行うことができる。
【０００７】
これらの標準の新しい版、例えばＵＭＴＳのＲｅｌｅａｓｅ６はエンハンスト専用物理チャネルと呼ばれる高速なデータ転送速度のアップリンク・チャネルを提供する。これらのエンハンスト専用物理チャネルは、機能拡張されたデータ部（例えば、ＵＭＴＳプロトコルに準じたエンハンスト専用物理データ・チャネル［Ｅ−ＤＰＤＣＨ］）と、機能拡張された制御部（例えば、ＵＭＴＳプロトコルに準じたエンハンスト専用物理制御チャネル［Ｅ−ＤＰＣＣＨ］）とを含むことができる。エンハンスト・アップリンク・データ・チャネルの仕様で定義されているように、ＵＥは、Ｅ−ＤＰＣＣＨチャネルにおいて制御情報フレームを送信するのと同時にＥ−ＤＰＤＣＨにおいてデータ・フレームを送信する。ＵＥからＮｏｄｅＢに伝達されるこの制御情報は、概してＥ−ＤＰＤＣＨフレームを復号化するためにＮｏｄｅＢにより必要とされるパラメータを含む。Ｅ−ＤＰＣＣＨワードは、ＮｏｄｅＢがその情報からＥ−ＤＰＤＣＨデータ・フレーム内の実際のパケット・サイズを判定することが可能な情報をＮｏｄｅＢに提供する７ビットのＥ−ＴＦＩ（Ｅ−ＤＣＨ［エンハンスト・アップリンク専用チャネル］トランスポート・フォーマット識別子）ビットを含む。このＥ−ＴＦＩビットは、トランスポート・チャネルがアプリケーションの種類に基づく可変パケット・データ・サイズ、およびパケット・データ通信の動的な性質を持つことができるので必要とされる。概して、２つのフレーム・サイズ（ＴＴＩ長）、すなわち１０ｍｓおよび２ｍｓがＥ−ＤＰＤＣＨで使用可能である。さらに、Ｅ−ＤＰＣＣＨワードは、２ビットで表現されることができる、最大３つまでのＥ−ＤＰＤＣＨ上のデータ・フレームの冗長なバージョンを示すＲＳＮ（再送シーケンス番号）ビットを含む。この冗長なバージョンは、ＮｏｄｅＢが、フレームが初めて送信されるのか、それともＨＡＲＱ（ハイブリッド自動再送要求）の１回目、２回目、または３回目のデータ・フレームの再送なのかを知る必要があるので必要とされる。前回の送信が、ＵＥと通信できるであろうＮｏｄｅＢのいずれによっても肯定応答されなかった場合、当該ＵＥは、少なくとも１つのＮｏｄｅＢから肯定応答（ＡＣＫ）が受信されない限り、または同一フレームの最大許容再送回数に達しない限り、同一フレームを再送することになる。したがって、前回、ＮｏｄｅＢがフレーム伝送を復号化できなかったとしても、ＵＥが通信していた別のＮｏｄｅＢが前回のフレームに肯定応答した可能性があるので、当該ＮｏｄｅＢは、ＵＥが別のフレームの新たな伝送を発信するのか、それとも前回のフレームの再送を発信するのかを予測することはできない。Ｅ−ＤＰＣＣＨワードは、ＵＥがそのビットを用いて当該ＵＥがＥ−ＤＣＨチャネルの現在の設定に満足しているか否かをＮｏｄｅＢに知らせる１ビットのハッピー・ビット（Ｈビット）も含む（例えば、ＵＥはこの識別子を用いて、当該ＵＥがより大きなデータ容量を必要としており、そのデータ容量を処理できるにもかかわらず、ＮｏｄｅＢが当該ＵＥがそのデータ転送速度を持つことを現在許していないために当該ＵＥが満足していないことをＮｏｄｅＢに伝えることができる）。このように、Ｅ−ＤＰＣＣＨワードは、１つの伝送フレーム中に７ビットのＴＦＩビット、２ビットのＲＳＮビット、および１ビットのハッピー・ビット（Ｈビット）である１０ビットを含む。
【発明の開示】
【発明が解決しようとする課題】
【０００８】
３ＧＰＰ標準Ｒｅｌｅａｓｅ６（ＴＳ２５．２１２、バージョン６．４．０、２００５年３月３０日）によれば、これらの３つの情報源（ＲＳＮ、ＴＦＩ、およびＨビット）は１０ビットＥ−ＤＰＣＣＨワード（ｘ１０、ｘ９、．．．、ｘ１）を形成するために使用される。図１は、２ビットのＲＳＮビットをビット（ｘ１、ｘ２）に、ＴＦＩをビット（ｘ３、．．．、ｘ９）に、Ｈビットをビットｘ１０にマッピングする、ＵＥ１０２におけるビット・マッパ１０１によるＲＳＮ、ＴＦＩ、およびＨビットのビット・マッピングのマッピングを示している。次に、コーダ１０３が２次Ｒｅｅｄ−Ｍｕｌｌｅｒ符号の（３２、１０）部分符号を用いて１０ビットＤＰＣＣＨワードを符号化して、３２ビットＥ−ＤＰＣＣＨ符号語（ｚ０、ｚ１、．．．、ｚ３１）を形成する。この符号化は上述のＤＰＣＣＨに対するＴＦＣＩの符号化と同様である。ＤＰＣＣＨのためのＴＦＣＩに関して言えば、初めの３０ビット、ｚ０、．．．、ｚ２９のみが送信される。ＮｏｄｅＢの受信機１０４において、ＵＥ１０２における符号化されたＥ−ＤＰＣＣＨビット（ｚ０、ｚ１、．．．、ｚ３１）に対応するソフト・シンボル（ｓ０、ｓ１、．．．、ｓ３１）が導出される（図示せず）。相関器１０５は、これらのソフト・シンボルを可能なＥ−ＤＰＣＣＨ符号語（合計１０２４通り）のそれぞれと相互に関連付けて、Ｅ−ＤＰＣＣＨインデックス｛０、１、．．．、１０２３｝の１０２４個の距離を生成する。ＤＰＣＣＨに関して言えば、この相互の関連付けを実行する計算効率の良い方法としてＦＨＴが使用され得る。ＮｏｄｅＢは使用中の最大ＲＳＮおよびトランスポート・フォーマット・セット（ＴＦＳ）の大きさに関する事前の情報を利用することができるので、探索器１０６は有効なＥ−ＤＰＣＣＨワードに対応するこれらの距離に対して探索を行う必要があるだけである。しかし、有効なＥ−ＤＰＣＣＨワードは、インデックスの単一の範囲に対応するのではなく、むしろ離散的なインデックスまたはいくつかの別個のインデックス範囲のいずれかに対応する。したがって、有効なＥ−ＤＰＣＣＨインデックスを用いた距離に対する探索器１０６による最大値探索は、上述のＤＰＣＣＨのための｛０、１、ＴＦＣＳ＿ｓｉｚｅ−１｝でのＴＦＣＩに対する対応する探索に比べてより複雑である。第１の例として、最大ＲＳＮが１であり、ＴＦＩが０〜３の値を持つとすると、離散的な値０、２、１２８、１３０、２５６、２５８、３８４、３８６、５１２、５１４、６４０、６４２、７６８、７７０、８９６、および８９８を持つ１６通りの有効なインデックスが存在する。第２の例として、最大ＲＳＮが３であり、ＴＦＩが０〜３の値を持つとすると、別個の範囲０〜３、１２８〜１３１、２５６〜２５９、３８４〜３８７、５１２〜５１５、６４０〜６４３、７６８〜７７１、および８９６〜８９９内の値を有する合計３２通りの有効なインデックスが存在し、したがって８つの別個のインデックス範囲に対して最大距離の探索を必要とする。
【非特許文献１】３ＧＰＰ標準Ｒｅｌｅａｓｅ６（ＴＳ２５．２１２、バージョン６．４．０、２００５年３月３０日）
【課題を解決するための手段】
【０００９】
離散的な可能な有効インデックス値に対する、または別個の可能な有効インデックス範囲に対する最大距離の探索を避けるために、３つの異なる情報源、つまりＥ−ＤＰＣＣＨのビット領域のＲＳＮ、ＴＦＩ、およびＨビット部を構成する固定された数のビットが、可能なＥ−ＤＰＣＣＨインデックスの等価な１０進数値が連続した値の範囲内にあるようにマップされる。有利なことに、かかるマッピングを用いれば、ＤＰＣＣＨ用に使用されているＮｏｄｅＢの従来のＴＦＣＩデコーダをＥ−ＤＰＣＣＨ用に再利用することができる。
【発明を実施するための最良の形態】
【００１０】
本発明の記載された実施形態によれば、上で説明し、図１に示したように従来技術に従って３つの情報源（ＲＳＮ、ＴＦＩ、およびＨビット）を別々にＥ−ＤＰＣＣＨの１０ビットの領域にマッピングするのではなく、代わりにこれら３つの情報源は、全ての可能なＲＳＮ、ＴＦＩ、およびＨビットの組合せの等価な１０進数値が連続した値の範囲内にあるようにビット・マッピングされる。したがって、相互に関連付けられた受信されたソフト・シンボル・ワードおよび可能な符号語の中からの最大距離の探索は、可能なインデックスの連続した範囲のみで効率的に探索されることができ、ＤＰＣＣＨ用にＮｏｄｅＢで使用されている従来のＴＦＣＩコーダをこの目的のために再利用することができる。
【００１１】
具体的には、Ｈビット、ＲＳＮ、およびＴＦＩの以下のマッピングによって所望の機能性を実現する。
１０進数で表した１０ビットＥ−ＤＰＣＣＨ  
＝（Ｈビット）＋（Ｈビットの取り得る値の個数）×ＲＳＮ＋
（Ｈビットの取り得る値の個数）×（ＲＳＮの取り得る値の個数）×ＴＦＩ  （１）
式（１）において、Ｈビットは０または１になり得るので「Ｈビットの取り得る値の個数」は２であり、ＲＳＮは集合｛０｝、｛０、１｝、｛０、１、２｝、および｛０、１、２、３｝のうちから任意の値を取り得るので「ＲＳＮの取り得る値の個数」はＭＡＸ＿ＲＳＮ＋１に等しい。したがって、ＭＡＸ＿ＲＳＮ＋１はＲＳＮの取り得る値の集合の大きさであり、１、２、３、または４になり得る。ＴＦＩは、１０進数で表したトランスポート・フォーマットのインデックスであり、７ビットであり、１０進数で０と１２７の間の範囲を取り得る。式（１）は以下のように書くことができる。
１０進数で表した１０ビットＥ−ＤＰＣＣＨ
＝（Ｈビット）＋２×ＲＳＮ＋２×（ＭＡＸ＿ＲＳＮ＋１）×ＴＦＩ        （２）
したがってＥ−ＤＰＣＣＨワードの最大値は、
ＭＡＸ＿Ｅ−ＤＰＣＣＨ＿ｉｎｄｅｘ
＝１＋２×ＭＡＸ＿ＲＳＮ＋２×（ＭＡＸ＿ＲＳＮ＋１）×ＭＡＸ＿ＴＦＩ  （３）
であり、ここでＭＡＸ＿ＴＦＩは現在使用中の（１０進数で表した）最大ＴＦＩである。
【００１２】
図２は、ＵＥ２０１の送信機およびＮｏｄｅＢ２０２の受信機におけるＥ−ＤＰＣＣＨの処理を示している。ＵＥ２０１において、ビット・マッパ２０３は入力されたＲＳＮ、ＴＦＩ、およびＨビットを上述の式（２）に従ってマッピングして、１０ビットＥ−ＤＰＣＣＨワード（ｘ１０、ｘ９、．．．、ｘ１）を生成する。ここでビットｘ１０はＭＳＢであり、ビットｘ１はＬＳＢである。次に、図１でコーダ１０３が行ったのと同様の方法で、コーダ２０４が２次Ｒｅｅｄ−Ｍｕｌｌｅｒ符号の（３２、１０）部分符号を用いて１０ビットＥ−ＤＰＣＣＨワードを符号化して、３２ビットのＥ−ＤＰＣＣＨ符号語（ｚ０、ｚ１、．．．、ｚ３１）を形成する。上述の通り、初めの３０ビット、ｚ０、．．．、ｚ２９のみが送信される。ＮｏｄｅＢの受信機２０２において、ＵＥ１０２における符号化されたＥ−ＤＰＣＣＨビット（ｚ０、ｚ１、．．．、ｚ３１）に対応するソフト・シンボル（ｓ０、ｓ１、．．．、ｓ３１）が導出される（図示せず）。相関器２０５は、これらのソフト・シンボルを可能なＥ−ＤＰＣＣＨ符号語（合計１０２４通り）のそれぞれと相互に関連付けて、Ｅ−ＤＰＣＣＨインデックス｛０、１、．．．、１０２３｝の１０２４個の距離を生成する。既に検討したように、この相互の関連付けを実行する計算効率の良い方法としてＦＨＴが使用され得る。今や有効なインデックスは０とＭＡＸ＿Ｅ−ＤＰＣＣＨ＿ｉｎｄｅｘの間の範囲のみを取るので、探索器２０６は、最大距離を有するインデックスと、ひいては復号化されたＥ−ＤＰＣＣＨワードとを決定するために、インデックス｛０、１、．．．、ＭＡＸ＿Ｅ−ＤＰＣＣＨ＿ｉｎｄｅｘ｝に対する最大値探索を行うことのみを必要とする。有利なことに、ＮｏｄｅＢにおける従来のＴＦＣＩデコーダの完全な再利用が実現される。
【００１３】
例として、ＭＡＸ＿ＲＳＮ＝３（すなわち、ＲＳＮは集合｛０、１、２、３｝から選択される）とすると、式（２）は以下のようになる。
１０進数で表した１０ビットＥ−ＤＰＣＣＨ＝（Ｈビット）＋２×ＲＳＮ＋８×ＴＦＩ
（４）
【００１４】
２ビットのＲＳＮビットを２倍することは、ＲＳＮを左に１ビットだけビット・シフトすることに等しく、７ビットのＴＦＩビットを８倍することは、ＴＦＩを左に３ビットだけビット・シフトすることに等しい。これは、下記の通り、ビット・マッパ２０３によるＲＳＮ、ＴＦＩ、およびＨビットの以下の簡単なマッピングをもたらす。
ｘ１０＝ｘｔｆｉ，１    （５）
ｘ９＝ｘｔｆｉ，２      （６）
ｘ８＝ｘｔｆｉ，３      （７）
ｘ７＝ｘｔｆｉ，４      （８）
ｘ６＝ｘｔｆｉ，５      （９）
ｘ５＝ｘｔｆｉ，６      （１０）
ｘ４＝ｘｔｆｉ，７      （１１）
ｘ３＝ｘｒｓｎ，１      （１２）
ｘ２＝ｘｒｓｎ，２      （１３）
ｘ１＝ｘｈ，１        （１４）
ここで、（ｘ１０、ｘ９、．．．、ｘ１）はＭＳＢ（ｘ１０）からＬＳＢ（ｘ１）までの１０ビットＥ−ＤＰＣＣＨ符号語であり、ｘｈ，１はＨビットであり、ｘｒｓｎ，１およびｘｒｓｎ，２はｘｒｓｎ，１がＭＳＢでｘｒｓｎ，２がＬＳＢであるＲＳＮを表す。ＴＦＩは、ｘｔｆｃｉ，１がＭＳＢでｘｔｆｃｉ，７がＬＳＢとなるようにして７ビットの整数で表される。図３は、Ｈビット、ＲＳＮビット、およびＴＦＩビットの１０ビットＥ−ＤＰＣＣＨワードへのビット・マッピングを示しており、この１０ビットＥ−ＤＰＣＣＨワードは、式（３）を用いることにより、１０進数で０（Ｈビット＝０、ＲＳＮ＝０、ＴＦＩ＝０）から最大値（７＋８×ＭＡＸ＿ＴＦＩ）まで変化することができる。
【００１５】
最大のＲＳＮが３であり、ＴＦＩが０〜３の値を持つ場合に、８つの別個のインデックス範囲にある３２通りの有効なインデックスを生成した上述の従来技術の例と比較すると、式（４）のマッピングを使用することは、Ｈ、ＴＦＩ、およびＲＳＮが全て０のときの最小値‘００００００００００’（つまり１０進数の“０”）から、Ｈ＝‘１’（１０進数の１）、ＴＦＩ＝‘０００００１１’（１０進数の“３”）、およびＲＳＮ＝‘１１’（１０進数の“３”）のときの最大値‘０００００１１１１１’（つまり１０進数の“３１”）までの連続した範囲を取る３２通りの可能なＥ−ＤＰＣＣＨワードを生成する。
【００１６】
最大ＲＳＮが１であり、ＴＦＩが０〜３の値を持つとした上述のもう一方の従来技術の例に対しては、式（２）は次のようになる。
１０進数で表した１０ビットＥ−ＤＰＣＣＨ＝（Ｈビット）＋２×ＲＳＮ＋４×ＴＦＩ
（１５）
この場合、式（１５）のマッピングを使用することは、従来技術の方法論が生成した１６通りの離散的な別個の有効インデックスではなく、Ｈ、ＲＳＮ、およびＴＦＩが全て０のときの最小値‘００００００００００’（つまり１０進数の“０”）から、Ｈ＝１、ＲＳＮ＝１、およびＴＦＩ＝３のときの最大値‘００００００１１１１’（つまり１０進数の“１５”）までの連続した範囲を取る１６通りの可能な有効Ｅ−ＤＰＣＣＨワードを生成する。
【００１７】
本発明をＵＭＴによる実施形態に関連して説明したが、本発明は、それぞれが別個の最大の可能な等価な１０進数値を有する複数の固定ビット長情報部を、当該情報部の値に応じて最小値から最大値までの連続した範囲を取る可能な等価な１０進数値を持つ単一の制御ワードにビット・マッピングする任意の他の無線による実施形態で使用されることができる。
【００１８】
上記実施形態は本発明の原理を例示するものである。当業者は、本発明の精神および範囲を逸脱することなしに他の実施形態を案出することができるであろう。
【図面の簡単な説明】
【００１９】
【図１】ＵＥおよびＮｏｄｅＢにおける従来技術のＥ−ＤＰＣＣＨ処理を示すハイレベル・ブロック図である。
【図２】本発明の実施形態による、ＵＥおよびＮｏｄｅＢにおけるＥ−ＤＰＣＣＨ処理を示すハイレベル・ブロック図である。
【図３】特定の例示的実施形態に関する、Ｈビット、ＲＳＮビット、およびＴＦＩビットのマッピングを示す図である。
【図１】
2008535393.tif 000003
【図２】
2008535393.tif 000004
【図３】
2008535393.tif 000005
【国際調査報告】
2008535393.tif 000006
2008535393.tif 000007
2008535393.tif 000008